(57)【特許請求の範囲】
【請求項１】
予め電話番号を記憶する記憶手段と、
電話番号を発信する発信手段と、
使用者によって操作される操作部と、
発信手段を制御するとともに操作部を監視する制御部と、
通話終了時からの経過時間を計数する終了時間計数手段とを備え、
前記制御部が通話終了後に前記操作部が操作されたことを検出し、
前記終了時間計数手段が計数した経過時間が所定時間以下のとき、
通話終了後に前記記憶手段に直前の通話開始前から予め記憶されている電話番号に前記発信手段が自動的に発信することを特徴とする電話機。
【請求項２】
予め電話番号を記憶する記憶手段と、
電話番号を発信する発信手段と、
使用者によって操作される操作部と、
発信手段を制御するとともに操作部を監視する制御部と、
通話開始から通話終了までの経過時間を計数する通話時間計数手段とを備え、
前記制御部が通話中に前記操作部が操作されたことを検出し、
前記通話時間計数手段により計数された経過時間が所定時間以下のとき、
通話終了後に前記記憶手段に通話開始前から予め記憶されている電話番号に前記発信手段が自動的に発信することを特徴とする電話機。
【請求項３】
予め電話番号を記憶する記憶手段と、
電話番号を発信する発信手段と、
使用者によって操作される操作部と、
発信手段を制御するとともに操作部を監視する制御部と、
通話開始から通話終了までの経過時間を計数する通話時間計数手段とを備え、
前記制御部が通話終了後に前記操作部が操作されたことを検出し、
前記通話時間計数手段により計数された経過時間が所定時間以下のとき、
通話終了後に前記記憶手段に直前の通話開始前から予め記憶されている電話番号に前記発信手段が自動的に発信することを特徴とする電話機。
【請求項４】
電話回線からの着信信号を検出する着信検出手段を備え、
前記着信検出手段が着信信号を検出したときに、
通話終了後に前記記憶手段に通話開始前から予め記憶されている電話番号に前記発信手段が自動的に発信することを特徴とする請求項１乃至３のいずれか１項に記載の電話機。
【請求項５】
前記操作部が操作された時間を計数する操作時間計数手段を備え、
前記記憶手段は前記操作部が操作される時間に対応した電話番号を記憶しており、
通話終了後に前記操作部が操作された時間に対応して前記記憶手段に記憶された電話番号に前記発信手段が自動的に発信することを特徴とする請求項１乃至４のいずれか１項に記載の電話機。
【請求項６】
予め電話番号を記憶する記憶手段と、
電話番号を発信する発信手段と、
使用者によって操作される操作部と、
発信手段を制御するとともに操作部を監視する制御部と、
電話回線から着信信号を検出する着信検出手段とを備え、
前記制御部が通話中に前記操作部が操作されたことを検出し、
前記着信検出手段が着信信号を検出したときに、
通話終了後に前記記憶手段に通話開始前から予め記憶されている電話番号に前記発信手段が自動的に発信することを特徴とする電話機。
【請求項７】
予め電話番号を記憶する記憶手段と、
電話番号を発信する発信手段と、
使用者によって操作される操作部と、
発信手段を制御するとともに操作部を監視する制御部と、
前記操作部が操作された時間を計数する操作時間計数手段とを備え、
前記記憶手段は前記操作部が操作される時間に対応した電話番号を記憶しており、
前記制御部が通話中に前記操作部が操作されたことを検出したとき、
通話終了後に前記操作部が操作された時間に対応して前記記憶手段に記憶された電話番号に前記発信手段が自動的に発信することを特徴とする電話機。
【請求項８】
前記操作時間計数手段が計数した時間に対応する前記記憶手段に記憶された電話番号に対応する情報を外部に報知する報知手段を備えたことを特徴とする請求項５又は７に記載の電話機。
【発明の詳細な説明】
【０００１】
【産業上の利用分野】
本発明は、電話機に関する。
【０００２】
【従来の技術】
従来より、日本電信電話株式会社（以下、ＮＴＴと称す）では、いたずら、嫌がらせ等の迷惑電話に対応して「迷惑電話おことわりサービス」を提供していた。
【０００３】
このＮＴＴによって提供されている「迷惑電話おことわりサービス」は、迷惑電話を受けた直後に、使用者が電話機から登録操作を行うことにより、以降同じ電話番号からの着信に対しては、使用者に代わって「こちらは△△−△△△△の△△△です。この電話はお受けできません。ご了承ください。」と自動的にメッセージで応答するといったものであり、又登録した電話番号については、随時、使用者の操作により一括解除できるものであった。
【０００４】
【発明が解決しようとする課題】
ところで、上記サービスを使用するには、迷惑電話を受けた直後に使用者が特定の電話番号先に電話をかけなくてはならない。ところが、使用者は迷惑電話を受けた直後、精神的に不安定な状態にあり、特定の電話番号先にダイヤルする際において誤ったダイヤル操作を行ってしまうことが多々あった。
【０００５】
又、ダイヤル操作の誤りを防止するために、特定の電話番号を短縮ダイヤルや自動ダイヤルに登録しておくことも可能であるが、繁雑な登録操作が必要であると共に、特定電話番号の登録によって１つの登録番号を消費してしまうといった問題点があり、又精神的に不安定な状態において特定の電話番号を何れの短縮ダイヤル又は自動ダイヤルに登録したのか分からなくなるといった問題点があった。
【０００６】
更に、使用者が数字キー、短縮ダイヤル又は自動ダイヤルを用いて特定の電話番号先にダイヤルする場合、迷惑電話を受けた後、一旦電話を切ってから特定の電話番号先にダイヤルしなくてはならず、従って使用者は迷惑電話を切断後においてしばらくの間は電話機のそばに拘束され、無駄な時間を費やすといった問題点があった。
【０００７】
本発明は、無駄な時間を費やすことなく、迷惑電話の登録を確実に行うことのできる電話機を提供することを目的とするものである。
【０００８】
【課題を解決するための手段】
上記目的を達成するために、請求項１に記載の電話機は、予め電話番号を記憶する記憶手段と、電話番号を発信する発信手段と、使用者によって操作される操作部と、発信手段を制御するとともに操作部を監視する制御部と、通話終了時からの経過時間を計数する終了時間計数手段とを備え、前記制御部が通話終了後に前記操作部が操作されたことを検出するとともに前記終了時間計数手段が計数した経過時間が所定時間以下のとき、通話終了後に前記記憶手段に直前の通話開始前から予め記憶されている電話番号に前記発信手段が自動的に発信することを特徴とする。
【００１０】
請求項２に記載の電話機は、予め電話番号を記憶する記憶手段と、電話番号を発信する発信手段と、使用者によって操作される操作部と、発信手段を制御するとともに操作部を監視する制御部と、通話開始から通話終了までの経過時間を計数する通話時間計数手段とを備え、前記制御部が通話終了後に前記操作部が操作されたことを検出するとともに前記通話時間計数手段により計数された経過時間が所定時間以下のとき、通話終了後に前記記憶手段に通話開始前から予め記憶されている電話番号に前記発信手段が自動的に発信することを特徴とする。
【００１１】
請求項３に記載の電話機は、予め電話番号を記憶する記憶手段と、電話番号を発信する発信手段と、使用者によって操作される操作部と、発信手段を制御するとともに操作部を監視する制御部と、通話開始から通話終了までの経過時間を計数する通話時間計数手段とを備え、前記制御部が通話終了後に前記操作部が操作されたことを検出するとともに前記通話時間計数手段により計数された経過時間が所定時間以下のとき、通話終了後に前記記憶手段に直前の通話開始前から予め記憶されている電話番号に前記発信手段が自動的に発信することを特徴とする。
【００１３】
請求項４に記載の電話機は、電話回線からの着信信号を検出する着信検出手段を備え、前記着信検出手段が着信信号を検出したときに、通話終了後に前記記憶手段に通話開始前から予め記憶されている電話番号に前記発信手段が自動的に発信することを特徴とする。
【００１４】
請求項５に記載の電話機は、前記操作部が操作された時間を計数する操作時間計数手段を備え、前記記憶手段は前記操作部が操作される時間に対応した電話番号を記憶しており、通話終了後に前記操作部が操作された時間に対応して前記記憶手段に記憶された電話番号に前記発信手段が自動的に発信することを特徴とする。
【００１５】
請求項６に記載の電話機は、予め電話番号を記憶する記憶手段と、電話番号を発信する発信手段と、使用者によって操作される操作部と、発信手段を制御するとともに操作部を監視する制御部と、電話回線から着信信号を検出する着信検出手段とを備え、前記制御部が通話中に前記操作部が操作されたことを検出し、前記着信検出手段が着信信号を検出したときに、通話終了後に前記記憶手段に通話開始前から予め記憶されている電話番号に前記発信手段が自動的に発信することを特徴とする。
請求項７に記載の電話機は、予め電話番号を記憶する記憶手段と、電話番号を発信する発信手段と、使用者によって操作される操作部と、発信手段を制御するとともに操作部を監視する制御部と、前記操作部が操作された時間を計数する操作時間計数手段とを備え、前記記憶手段は前記操作部が操作される時間に対応した電話番号を記憶しており、前記制御部が通話中に前記操作部が操作されたことを検出したとき、通話終了後に前記操作部が操作された時間に対応して前記記憶手段に記憶された電話番号に前記発信手段が自動的に発信することを特徴とする。
請求項８に記載の電話機は、前記操作時間計数手段が計数した時間に対応する前記記憶手段に記憶された電話番号に対応する情報を外部に報知する報知手段を備えたことを特徴とする。
【００１６】
【作用】
従って、本願発明によれば、迷惑電話を受けたとき、当該通話中に数字キーを操作入力することにより、通話終了後、ダイヤル発信手段が通話中の操作入力に対応した電話番号をダイヤルし、当該電話番号先と通話接続することによって迷惑電話の登録を行うことができる。
【００１７】
また、迷惑電話を受けたとき、当該通話中に数字キーを操作入力することにより、通話終了後、ダイヤル発信手段が記憶手段に記憶された電話番号をダイヤルし、当該電話番号先と通話接続することによって迷惑電話の登録を行うことができる。
【００１８】
また、迷惑電話を受けたとき、通話終了後、ダイヤル発信手段が通話中の操作入力に対応した電話番号をダイヤルし、当該電話番号先と通話接続することによって迷惑電話の登録を行うことができる。
【００２１】
また、終了時間計数手段によって所定時間の計数が行われる前に、機器本体に配置された特定ボタンを操作することにより、ダイヤル発信手段が記憶手段に記憶された電話番号をダイヤルし、当該電話番号先と通話接続することによって迷惑電話の登録を行うことができると共に、終了時間計数手段によって所定時間の計数が行われた後、ダイヤル発信手段による特定電話番号への自動ダイヤル発信を規制することができる。
【００２２】
また、特定ボタンが操作されたとき、操作時間計数手段がその操作時間を計数し、ダイヤル発信手段がその計数された操作時間に基づいて記憶手段に記憶された複数の電話番号の何れかを読み出し、通話終了後又は即時に自動ダイヤルするため、迷惑電話の登録及び解除を１つのボタンで行うことができる。
【００２３】
また、特定ボタンが操作されたとき、操作時間計数手段がその操作時間を計数し、報知手段がその計数された操作時間に基づいてダイヤル発信手段が記憶手段に記憶された複数の電話番号の何れを読み出したか判断し、その読み出されたと判断された電話番号に対応する情報を外部報知することにより、特定ボタンの操作によって何れの電話番号が自動ダイヤルされたのか確認することができる。
【００２４】
【実施例】
以下、本発明の実施例について図面を参照して詳細に説明する。
【００２５】
図１は本発明の一実施例である電話機の電気的構成を示す概略機能ブロック図、図２は同電話機の外観を示す正面図、図３は同電話機における通常時の動作を示すフローチャート、図４は同電話機における迷惑電話登録時及び迷惑電話消去時の動作を示すフローチャートである。
【００２６】
図１及び図２において、１はＮＴＴが提供する「迷惑電話おことわりサービス」の機能を有する交換機、２は交換機１と電話機本体とを接続する電話回線、３は電話回線２の捕捉／開放を行う回線捕捉回路、４は回線捕捉回路３によって捕捉した電話回線２によって接続された相手側との通話経路を形成する通話回路、５は通話回路４によって形成された通話経路を用いて相手側と通話を行うハンドセット、６は電話機本体に対するハンドセット５の取り上げ／載置を検出するフックスイッチである。
【００２７】
７は電話回線１から到来する着信信号を検出する着信検出回路、８は「迷惑電話おことわりサービス」にダイヤルさせるおことわりボタン８ａ及び相手側電話番号をダイヤルするダイヤルボタン８ｂ等からなる操作ボタン、９はフックスイッチ６によるハンドセット５の取り上げ／載置の検出結果、着信検出回路７による着信信号の検出結果、及び操作ボタン８によるボタン操作に基づいて各部の制御を行う制御回路であり、予め登録される電話番号を記憶するメモリ、及びフックスイッチ６の載置検出後の時間及び操作ボタン８のおことわりボタン８ａの操作時間等を計数するタイマ等を備えている。
【００２８】
１０は着信検出回路７による着信検出に基づく制御部９からの制御信号に応答してリンガー音を発生するリンガー発生回路、１１は操作ボタン８のおことわりボタン８ａの操作に基づく制御部９からの制御信号に応答して所定のメッセージを発生するメッセージ発生回路、１２はリンガー発生回路１０から発生されるリンガー音及びメッセージ発生回路１１から発生されるメッセージを外部に放音するスピーカである。
【００２９】
１３は操作ボタン８の操作入力に基づく電話番号を制御部９からの制御信号に応答してダイヤルパルス又はＤＴＭＦ信号として発信するダイヤル回路、１４は操作ボタン８のおことわりボタン８ａの操作に基づく制御部９からの制御信号に応答して撃退音を発生する撃退音発生回路、１５は「迷惑電話おことわりサービス」に迷惑電話として登録した件数等を表示する表示部である。
【００３０】
上記のように構成された電話機において、通常時における動作制御について説明する。
【００３１】
フックスイッチ６によってハンドセット５の載置が検出され、制御部９において終話状態であると判断される（ステップＦ１）と、制御部９に備えられた通話終了タイマを更新する（ステップＦ２）と共に、当該更新された通話終了タイマの値が一定値以下であるか判断する（ステップＦ３）。
【００３２】
そして、ここで通話終了タイマの値が一定値以下でないと判断されると、制御部９に備えられた通話タイマをクリアする（ステップＦ４）と共に、着信検出回路７によって着信信号が検出されているか判断し（ステップＦ５）、着信信号が検出されたと判断された場合、着信フラグを立て（ステップＦ６）、又着信信号が検出されていないと判断された場合、着信フラグを降ろす（ステップＦ７）。
【００３３】
そして、着信フラグを立てるか、或いは着信フラグを降ろした後、制御部９によって操作ボタン８を監視することによっておことわりボタン８ａが操作されたか判断され（ステップＦ８）、使用者の操作によっておことわりボタン８ａが操作されたとき、迷惑電話おことわり動作に移行する一方、おことわりボタン８ａが操作されないとき、この通常動作を終了する。
【００３４】
他方、フックスイッチ６によってハンドセット５の取り上げが検出され、制御部９において通話状態であると判断される（ステップＦ１）と、操作ボタン８を監視することによってダイヤルボタン８ｂが操作されたか判断し（ステップＦ９）、操作されたと判断された場合、着信フラグを降ろし（ステップＦ７）、又操作されていないと判断された場合、制御部９に備えられた通話終了タイマをクリアする（ステップＦ１０）と共に、制御部９に備えられた通話タイマを更新する（ステップＦ１１）。
【００３５】
そして、制御部９によってダイヤルボタン８ｂが操作されたと判断され、着信フラグが降りた後、或いは制御部９によってダイヤルボタン８ｂが操作されていないと判断され、通話終了タイマのクリア及び通話タイマの更新が行われた後、制御部９によって操作ボタン８を監視することによっておことわりボタン８ａが操作されたか判断され（ステップＦ８）、使用者の操作によっておことわりボタン８ａが操作されたとき、迷惑電話おことわり動作に移行する一方、おことわりボタン８ａが操作されないとき、この通常動作を終了する。
【００３６】
尚、上記通常時の動作制御は、通話中及び待機中にかかわらず一定の間隔をおいて開始されるものである。
【００３７】
次に、操作ボタン８のおことわりボタン８ａが操作されたときの動作制御について説明する。
【００３８】
操作ボタン８のおことわりボタン８ａを操作すると、フックスイッチ６によるハンドセット５の取り上げ／載置検出に基づいて制御部９が通話中か判断し（ステップＦ２１）、フックスイッチ６によってハンドセット５の載置が検出されて通話中ではないと制御部９が判断したとき、制御部９に備えられた操作タイマによって操作ボタン８のおことわりボタン８ａの操作時間を計数すると共に、当該計数時間が一定値以上であるか判断する（ステップＦ２２）。
【００３９】
そして、操作タイマの計数によっておことわりボタン８ａの操作時間が一定値以下であると判断されると、迷惑電話の登録のためにおことわりボタン８ａが操作されたと判断して制御部９において着信フラグが立っているか判断し（ステップＦ２３）、着信フラグが立っていない場合、「迷惑電話おことわりサービス」に登録を行えないと判断してこのフローチャートを終了し、又着信フラグが立っている場合、「迷惑電話おことわりサービス」に迷惑電話の登録を行えると判断する。
【００４０】
そして、着信フラグが立っていると判断されることによって「迷惑電話おことわりサービス」に迷惑電話の登録が行えると判断されると、通話中において制御部９の通話タイマによって計数された通話時間が一定値（例えば１分）以上であるか判断し（ステップＦ２４）、この通話タイマによって計数された通話時間が一定値以上であると判断されると、「迷惑電話おことわりサービス」に登録を行えないと判断してこのフローチャートを終了し、又通話時間が一定値以下であると判断された場合、「迷惑電話おことわりサービス」に迷惑電話の登録を行えると判断する。
【００４１】
そして、通話時間が一定値以下であると判断されることによって「迷惑電話おことわりサービス」に迷惑電話の登録が行えると判断されると、通話終了後において制御部９の通話終了タイマによって計数された通話終了後の経過時間が一定値（例えば５秒）以上であるか判断し（ステップＦ２５）、この通話終了タイマによって計数された通話終了後の経過時間が一定値以上であると判断されると、「迷惑電話おことわりサービス」に登録を行えないと判断してこのフローチャートを終了し、又通話終了後の経過時間が一定値以下であると判断された場合、「迷惑電話おことわりサービス」に迷惑電話の登録を行えると判断する。
【００４２】
そして、すべての判断において「迷惑電話おことわりサービス」に迷惑電話の登録を行えると判断されたとき、制御部９がメッセージ発生回路１１を制御し、例えば「迷惑電話おことわりサービスに登録します。」といったメッセージを発生させる一方、当該メッセージをスピーカ１２によって外部放音する（ステップＦ２６）。
【００４３】
そして、メッセージが発生した後、制御部９が回線捕捉回路３を制御して電話回線２を捕捉させる（ステップＦ２７）と共に、ダイヤル発信回路１３を制御して制御部９に備えられたメモリに記憶された迷惑電話おことわりサービスに登録するための電話番号「１４４＋２」をダイヤルさせることによって交換機１において迷惑電話の登録を行わせる（ステップＦ２８）。
【００４４】
そして、迷惑電話の登録を行っているとき、制御部９が迷惑電話おことわりサービスに登録するための電話番号「１４４＋２」をダイヤルさせた回数の計数値をカウントアップさせると共に、表示部１５を制御して当該カウントアップした計数値を表示させ（ステップＦ２９）、そして迷惑電話の登録が終了したとき、制御部９が回線捕捉回路３を制御して電話回線２を開放させ（ステップＦ３０）、このフローチャートを終了する。
【００４５】
他方、操作タイマの計数によっておことわりボタン８ａの操作時間が一定値以上であると判断される（ステップＦ２２）と、制御部９が迷惑電話の一括消去を行うためにおことわりボタン８ａが操作されたと判断してメッセージ発生回路１１を制御し、例えば「迷惑電話おことわりサービスに登録してある電話番号を解除します。」といったメッセージを発生させる一方、当該メッセージをスピーカ１２によって外部放音する（ステップＦ３１）。
【００４６】
そして、メッセージが発生した後、制御部９が回線捕捉回路３を制御して電話回線２を捕捉させる（ステップＦ３２）と共に、ダイヤル発信回路１３を制御して制御部９に備えられたメモリに記憶された迷惑電話おことわりサービスに登録された電話番号を一括消去するための電話番号「１４４＋９」をダイヤルさせることによって交換機１において迷惑電話の一括消去を行わせる（ステップＦ３３）。
【００４７】
そして、迷惑電話の一括消去を行っているとき、制御部９が迷惑電話おことわりサービスに登録するための電話番号「１４４＋２」をダイヤルさせた回数の計数値をクリアさせると共に、表示部１５を制御して当該クリアした計数値を表示させ（ステップＦ２９）、そして迷惑電話の一括消去が終了したとき、制御部９が回線捕捉回路３を制御して電話回線２を開放させ（ステップＦ３０）、このフローチャートを終了する。
【００４８】
又、おことわりボタン８ａが操作された直後、フックスイッチ６によってハンドセット５の取り上げが検出されて通話中であると制御部９が判断したとき（ステップＦ２１）は、制御部９において着信フラグが立っているか判断し（ステップＦ３４）、着信フラグが立っていない場合、「迷惑電話おことわりサービス」に登録を行えないと判断してこのフローチャートを終了し、又着信フラグが立っている場合、「迷惑電話おことわりサービス」に迷惑電話の登録を行えると判断する。
【００４９】
そして、着信フラグが立っていると判断されることによって「迷惑電話おことわりサービス」に迷惑電話の登録が行えると判断されると、通話中において制御部９の通話タイマによって計数された通話時間が一定値（例えば１分）以上であるか判断し（ステップＦ３５）、この通話タイマによって計数された通話時間が一定値以上であると判断されると、「迷惑電話おことわりサービス」に登録を行えないと判断してこのフローチャートを終了し、又通話時間が一定値以下であると判断された場合、「迷惑電話おことわりサービス」に迷惑電話の登録を行えると判断する。
【００５０】
そして、すべての判断において「迷惑電話おことわりサービス」に迷惑電話の登録を行えると判断されたとき、制御部９が撃退音発生回路１４を制御して電話回線２に撃退音を送出させる（ステップＦ３６）と共に、メッセージ発生回路１１を制御し、例えば「迷惑電話おことわりサービスに登録します。」といったメッセージを発生させる一方、当該メッセージをスピーカ１２によって外部放音する（ステップＦ２６）。
【００５１】
そして、メッセージが発生した後、制御部９が回線捕捉回路３を制御して電話回線２を捕捉させる（ステップＦ２７）と共に、ダイヤル発信回路１３を制御して制御部９に備えられたメモリに記憶された迷惑電話おことわりサービスに登録するための電話番号「１４４＋２」をダイヤルさせることによって交換機１において迷惑電話の登録を行わせる（ステップＦ２８）。
【００５２】
そして、迷惑電話の登録を行っているとき、制御部９が迷惑電話おことわりサービスに登録するための電話番号「１４４＋２」をダイヤルさせた回数の計数値をカウントアップさせると共に、表示部１５を制御して当該カウントアップした計数値を表示させ（ステップＦ２９）、そして迷惑電話の登録が終了したとき、制御部９が回線捕捉回路３を制御して電話回線２を開放させ（ステップＦ３０）、このフローチャートを終了する。
【００５３】
従って、上記動作制御によれば、通話中においてダイヤルボタン８ｂが操作されたとき、通話終了後において所定時間が経過したとき、及び着信検出が行われなかったとき着信フラグが降り、この着信フラグが降りている状態でおことわりボタン８ａが操作しても迷惑電話の登録を行わないことから、誤って迷惑電話の登録を行うといったことが軽減され、又迷惑電話の登録及び一括消去を行わせるボタンを１個設ければ良いため、機器本体のボタン配置をより良好に行うことができる。
【００５４】
尚、本実施例では、迷惑電話の登録を行わせるためのボタンを機器本体に配置したが、これに限定されるものではなく、特定のボタンを設けることなく通話中にダイヤルボタンが操作されたとき、通話終了後ダイヤル発信回路１３を制御して一時格納した電話番号をダイヤルするようにしても良く、又通話中においてダイヤル操作された電話番号を制御部９に備えられたメモリに一時格納し、当該通話終了後ダイヤル発信回路１３を制御して一時格納した電話番号をダイヤルするようにしても良い。
【００５５】
【発明の効果】
以上のように、本願の発明によれば、迷惑電話を受けた際に操作入力を行うことにより、通話終了後において自動的に迷惑電話の登録を行うため、通話終了後における使用者の無駄な時間を費やすことなく、迷惑電話の登録を確実に行うことができる。
【００５８】
また、迷惑電話を受けた際に特定ボタンを操作することにより、通話終了後において自動的に迷惑電話の登録を行うため、通話終了後における使用者の無駄な時間を費やすことなく、迷惑電話の登録を確実に行うことができる。
【００５９】
また、迷惑電話を受けて電話を切った後、所定時間が経過する前に特定ボタンを操作することにより、自動的に迷惑電話の登録を行うため、通話終了後における使用者の無駄な時間を費やすことなく、迷惑電話の登録を確実に行うことができる。
【００６０】
また、特定ボタンの操作時間に基づいて迷惑電話の登録するための電話番号、又は迷惑電話の一括消去を行うための電話番号にダイヤルすることにより、迷惑電話の登録又は迷惑電話の一括消去を１つのボタンによって行わせることができるため、機器本体のボタン配置を有効に行うことができる。
【００６１】
また、特定ボタンの操作によって迷惑電話の登録が行われているのか、或いは迷惑電話の一括消去が行われているのか使用者において認識することができるため、迷惑電話の登録及び一括消去を誤って行うといったことを防止することができる。
【図面の簡単な説明】
【図１】本発明の一実施例である電話機の電気的構成を示す概略機能ブロック図。
【図２】同電話機の外観を示す正面図。
【図３】同電話機の通常時の動作制御を示すフローチャート。
【図４】同電話機の迷惑電話登録時及び迷惑電話消去時の動作を示すフローチャート。
【符号の説明】
１    交換機
２    電話回線
３    回線捕捉回路
４    通話回路
５    ハンドセット
６    フックスイッチ
７    着信検出回路
８    操作ボタン
９    制御部
１０    リンガ発生回路
１１    メッセージ発生回路
１２    スピーカ
１３    ダイヤル発信回路
１４    撃退音発生回路
【図１】
0003638330.tif 000002
【図２】
0003638330.tif 000003
【図３】
0003638330.tif 000004
【図４】
0003638330.tif 000005